(57)【要約】【課題】本発明は、収納部を密度高く配置することができ、切断線を容易に切断することができるブリスターパッケージを提供することを目的とする。【解決手段】ブリスターパッケージ１は、台紙２とブリスターカバー３からなっている。ブリスターカバー３は、複数の収納部３ｃを有し台紙２に固定される。収納部３ｃは千鳥形に配列されている。隣り合う収納部３ｃの間は、台紙２に切断線２ａが設けられている。またブリスターカバー３に切断線３ａが設けられている。連続して隣り合う３つの収納部３ｃの中心を結ぶ直線がなす角度αは、９０〜１５０度の範囲にある。【選択図】　　　　図１
2004059124.tif 000002
【特許請求の範囲】
【請求項１】
台紙と、
複数の収納部を有し、前記台紙に固定されるブリスターカバーとからなる
ブリスターパッケージにおいて、
前記収納部は、千鳥形に配列され、
隣り合う前記収納部の間は、前記台紙に切断線が設けられかつ前記ブリスターカバーに切断線が設けられている
ことを特徴とするブリスターパッケージ。
【請求項２】
台紙と、
複数の収納部を有し、前記台紙に固定されるブリスターカバーとからなる
ブリスターパッケージにおいて、
前記収納部は、千鳥形に配列され、
隣り合う前記収納部の間は、前記台紙に切断線が設けられている
ことを特徴とするブリスターパッケージ。
【請求項３】
連続して隣り合う３つの収納部の中心を結ぶ直線がなす角度は、９０〜１５０度の範囲にある
ことを特徴とする請求項１記載のブリスターパッケージ。
【請求項４】
台紙においては、その外縁の線と切断線とがなす角度が７０〜１３５度の範囲にあり、
ブリスターカバーにおいては、その外縁の線と切断線とがなす角度が７０〜１３５度の範囲にある
ことを特徴とする請求項１記載のブリスターパッケージ。
【請求項５】
ブリスターカバーにおいては、その外縁の線と切断線とがなす角度が７０〜１１０度の範囲にある
ことを特徴とする請求項１記載のブリスターパッケージ。
【請求項６】
電池を収納する
ことを特徴とする請求項１記載のブリスターパッケージ。
【請求項７】
台紙と、
複数の収納部を有し、前記台紙に固定されるブリスターカバーとからなる
ブリスターパッケージにおいて、
前記収納部は、千鳥形に配列され、
隣り合う前記収納部の間は、前記台紙に切断線が設けられ、２つの前記切断線により交点ができるときは、一方の切断線の終点を前記交点にし、
隣り合う前記収納部の間は、前記ブリスターカバーに切断線が設けられ、２つの前記切断線により交点ができるときは、一方の切断線の終点を前記交点にする
ことを特徴とするブリスターパッケージ。
【請求項８】
台紙と、
複数の収納部を有し、前記台紙に固定されるブリスターカバーとからなる
ブリスターパッケージにおいて、
前記収納部は、千鳥形に配列され、
隣り合う前記収納部の間は、前記台紙に切断線が設けられ、２つの前記切断線により交点ができるときは、一方の切断線の終点を前記交点にする
ことを特徴とするブリスターパッケージ。
【請求項９】
連続して隣り合う３つの収納部の中心を結ぶ直線がなす角度は、９０〜１５０度の範囲にある
ことを特徴とする請求項７記載のブリスターパッケージ。
【請求項１０】
台紙においては、その外縁の線と切断線とがなす角度が７０〜１３５度の範囲にあり、
ブリスターカバーにおいては、その外縁の線と切断線とがなす角度が７０〜１３５度の範囲にある
ことを特徴とする請求項７記載のブリスターパッケージ。
【請求項１１】
ブリスターカバーにおいては、その外縁の線と切断線とがなす角度が７０〜１１０度の範囲にある
ことを特徴とする請求項７記載のブリスターパッケージ。
【請求項１２】
電池を収納する
ことを特徴とする請求項７記載のブリスターパッケージ。
【発明の詳細な説明】
【０００１】
【発明の属する技術分野】
本発明は、ブリスターパッケージに関する。具体的には、収納部を密度高く配置することができ、切断線を容易に切断することができるブリスターパッケージに関する。また、切断線を切断したときに生成する角部の角度を大きくすることができるブリスターパッケージに関する。
【０００２】
【従来の技術】
従来、ボタン、コイン形電池の複数入りで一個ずつ切り離し可能なブリスターパッケージにおいて、その外形寸法は、その商品を保管する収容箱の大きさや、店頭の展示スペースの制約から、しばしば、市場毎に統一された寸法となっている。
【０００３】
例えば、ヘッダー部を含めておよそ１４０ｍｍ×５１ｍｍ（５．５ｉｎ×２ｉｎ）の外形寸法を持ち、５つの電池（直径２０ｍｍ）が１個ずつ切り離し可能なように収納されたブリスターパッケージでは、図１１に示すように、およそ２５ｍｍ間隔で縦５つ並んだ、成形された収納部３ｃと、それと接着した台紙２との間に製品４（電池）が収納され、その５つの電池が１つずつ切断線２ａ（例えば、ミシン目）で切り離し可能なようになっている。
【０００４】
【発明が解決しようとする課題】
このとき、その収納部３ｃの間隔は、電池の大きさに加えて、収納のためのクリアランス、成形品の厚さ、ミシン目のための幅を合せて少なくとも３ｍｍ程度は必要とされている。
【０００５】
したがって、外径が約２４ｍｍ以上の電池をこの外形寸法のブリスターパッケージ１に収容しようとすると、電池収容部の間隔は少なくとも２７ｍｍ以上となってしまう。電池の直径が２４．５ｍｍの場合、図１２に示すように他のものが５個入りなのに対し、４個入りとするなど、他のサイズの電池と入り数を変更するか、台紙２の大きさを変更するしかないという問題がある。
【０００６】
本発明は、このような課題に鑑みてなされたものであり、収納部を密度高く配置することができるブリスターパッケージを提供することを目的とする。
【０００７】
【課題を解決するための手段】
本発明のブリスターパッケージは、台紙と、複数の収納部を有し前記台紙に固定されるブリスターカバーとからなるブリスターパッケージにおいて、前記収納部は千鳥形に配列され、隣り合う前記収納部の間は、前記台紙に切断線が設けられかつ前記ブリスターカバーに切断線が設けられているものである。
【０００８】
本発明のブリスターパッケージによれば、台紙およびブリスターカバーにおいて、一方の外縁から始まり他方の外縁に達する切断線を設けることができる。
【０００９】
本発明のブリスターパッケージは、台紙と、複数の収納部を有し前記台紙に固定されるブリスターカバーとからなるブリスターパッケージにおいて、前記収納部は千鳥形に配列され、隣り合う前記収納部の間は、前記台紙に切断線が設けられ、２つの前記切断線により交点ができるときは、一方の切断線の終点を前記交点にし、隣り合う前記収納部の間は、前記ブリスターカバーに切断線が設けられ、２つの前記切断線により交点ができるときは、一方の切断線の終点を前記交点にするものである。
【００１０】
本発明のブリスターパッケージによれば、台紙およびブリスターカバーにおいて、一方の外縁から始まり他方の外縁に達する切断線を設けることができるか、または、台紙またはブリスターカバーの外縁から始まり他の切断線との交点に達する切断線を設けることができる。
【００１１】
【発明の実施の形態】
以下、本発明の実施の形態について説明する。
まず、ブリスターパッケージにかかる第１の発明の実施の形態について説明する。
【００１２】
図１は、本発明のブリスターパッケージの一例を示すものである。
ブリスターパッケージ１は、台紙２およびブリスターカバー３からなっている。
台紙２は、その形状が略長方形の板である。台紙２は、ヘッダー部を含めて１４０ｍｍ×５１ｍｍ（５．５ｉｎ×２ｉｎ）の寸法からなっている。ただし、本発明のブリスターパッケージの台紙２の形状は、この寸法に限定され訳ではない。製品４の大きさ等に合わせて自由な寸法を採ることができる。
【００１３】
台紙２は、製品４を保持すると共に、ブリスターパッケージ１全体の形状を保持する機能を持っている。
台紙２の材質は、板紙、プラスチックなど材質を問わない。台紙２の材質は、製品４を保持し、ブリスターパッケージ１全体の形状を保持できるものであればその種類を問わない。
【００１４】
台紙２の上の方（図面上）には、孔５が設けられている。孔５は、左右（図面上）に伸びた細長い形状の貫通孔である。孔５の中央部には、上下２ヶ所に円弧状の凹部が設けられている。店頭に配置された支持棒などに孔５を通してプリスターパッケージ１をぶら下げることにより、ユーザーに製品４を見やすく展示することができる。
【００１５】
台紙２には、直線状の切断線２ａが４本設けられている。切断線２ａは、間欠的に設けられた貫通孔、いわゆるミシン目からなっている。切断線２ａは、隣り合う収納部３ｃの間を通っている。切断線２ａは、台紙２の右（左）側の外縁２ｂから始まり、左（右）側の外縁２ｂに達している。切断線２ａは、台紙２の他の部分よりも機械的強度を小さくすることにより、折り曲げによる切断、または引きちぎりなどのせん断による切断が容易になっている。
【００１６】
切断線２ａは、上述のミシン目に限定されない。このほか、台紙２に連続または断続の、溝または切り込みなどを入れたものを採用することができる。要するに、切断線２ａの機械的強度を台紙２の他の部分よりも小さくすることができればいかなる形状、手段をも採用することができる。ただし、輸送中などにおいて、折れ曲がったり破壊したりするのを防止できる程度の機械的強度を保持させておく必要がある。
【００１７】
切断線２ａは、予め部品の段階でつけてもよいし、製品の組立て時に型抜きしてつけてもよい。
【００１８】
切断線２ａは直線に限定されない。切断線２ａは、全部が一種類の曲線であっても良いし、直線と曲線がなめらかに連続していても良いし、異なる曲線がなめらかに連続していても良い。曲線の場合は、曲率半径が６ｃｍ以上であることが好ましい。曲率半径がこの範囲にあると、ブリスターパッケージ１から製品４を切り離すときに、困難性を伴わずスムーズに切断線２ａで切断できる。
【００１９】
ブリスターカバー３は、その形状が略長方形の薄い板である。ブリスターカバー３は、台紙２と同じくヘッダー部を含めて１４０ｍｍ×５１ｍｍ（５．５ｉｎ×２ｉｎ）の寸法からなっている。ただし、ブリスターカバー３の形状は、この寸法に限定され訳ではない。製品４の大きさなどに合わせて自由な寸法を採ることができる。
【００２０】
ブリスターカバー３は、製品４を台紙２との間に保持すると共に、ユーザーに製品４の外観が見えるようにしている。ブリスターカバー３は、プラスチックなど、透明で製品４を保持できるものであればいかなる材質も採用することができる。
【００２１】
ブリスターカバー３の上の方には、孔５が設けられている。ブリスターカバー３に設けられた孔５は、台紙２に設けられたものと同じ形状である。
【００２２】
ブリスターカバー３には、複数（５つ）の収納部３ｃが設けられている。収納部３ｃは、正面（図面上）から見ると略円形となっている。収納部３ｃは、この円の中心を通り紙面に垂直な断面においては、奥側から正面側に膨れた凹形状をしている。収納部３ｃの肉厚は、ブリスターカバー３の他の部分の肉厚と略同じである。ブリスターカバー３ｃの形状、肉厚はこれらに限定されない。製品４を収納できかつ保持できるものであれば他の形状、肉厚を採用することができる。
【００２３】
収納部３ｃは、千鳥形に配列されている。具体的には、収納部３ｃは、上下方向に２列に並んでいる。収納部３ｃは、２つの列とも収納部３ｃ間の距離は略同じである。右側の収納部３ｃと左側の収納部３ｃは、収納部３ｃ間の距離の半分だけ位置がそれぞれずれている。収納部３ｃ間の距離、左右の収納部３ｃ同士の位置のずれは、上述のものに限定されない。斜め隣りの収納部３ｃ間の距離が、後に述べる条件を満足するものであればよい。
【００２４】
図１に示すように、連続して隣り合う３つの収納部３ｃの中心を結ぶ直線がなす角度αは、９０〜１５０度の範囲にあることが好ましい。角度αがこの範囲にあると、収納部３ｃの中心線を結ぶ直線と切断線３ａとがなす角度を垂直にまたは垂直に近くすることができ、斜め隣りの収納部３ｃ間の距離を短くすることができる。また、１つおきで上下方向に並んで隣り合う収納部３ｃ間の距離を短くすることができる。この結果、複数の収納部３ｃを密度高く配置することができる。
ここでは収納部３ｃを正面から見たときの円の中心を収納部３ｃの中心とする。収納部３ｃの正面形状が円以外のときは、図心をもって収納部３ｃの中心とする。
【００２５】
図１では、収納部３ｃが５つ並んでいる例を説明した。収納部３ｃの個数はこれに限定されない。収納部３ｃの個数は２つ以上であれば本発明を適用できる。台紙２の上下方向の長さを延長することにより、５つより多い収納部３ｃを配置することができる。
【００２６】
ブリスターカバー３の収納部３ｃの成形方法は、真空成形、圧空成形、射出成形などを採用することができる。
【００２７】
ブリスターカバー３には、直線状の切断線３ａが４本設けられている。切断線３ａは、間欠的に設けられた貫通孔、いわゆるミシン目からなっている。切断線３ａは、隣り合う収納部３ｃの間を通っている。切断線３ａは、ブリスターカバー３の右（左）側の外縁３ｂから始まり、左（右）側の外縁３ｂに達している。切断線３ａは、ブリスターカバー３の他の部分よりも機械的強度を小さくすることにより、折り曲げによる切断、または引きちぎりなどのせん断による切断を容易にしている。
【００２８】
切断線３ａは、上述のミシン目に限定されない。このほか、ブリスターカバー３に連続または断続の、溝または切り込みなどを入れたものを採用することができる。要するに、切断線３ａの機械的強度をブリスターカバー３の他の部分よりも小さくすることができればいかなる形状、手段をも採用することができる。
【００２９】
切断線３ａは、予め部品の段階でつけてもよいし、製品の組立て時に型抜きしてつけてもよい。
【００３０】
切断線３ａは直線に限定されない。切断線３ａは、全部が一種類の曲線であっても良いし、直線と曲線がなめらかに連続していても良いし、異なる曲線がなめらかに連続していても良い。曲線の場合は、曲率半径が６ｃｍ以上であることが好ましい。この理由は、台紙２の切断線２ａのところで述べたと同様である。
【００３１】
図１に示すように、ブリスターカバー３の切断線３ａと台紙２の切断線２ａは、それぞれの位置が重なっている。切断線３ａと切断線２ａの位置は、それぞれ重なっていることに限定されない。切断線３ａと切断線２ａは互いにずれていてもかまわない。切断線３ａと切断線２ａのずれの幅は、０．５〜２．０ｍｍの範囲にあることが好ましい。ずれの幅がこの範囲内にあると、切断線３ａと切断線２ａとの間の領域は、台紙２とブリスターカバー３とが接着されているので、切断線２ａ，３ａの垂直方向の曲げの力に強くなることから、輸送中等においてブリスターパッケージ１が折れ曲がるといった事故を防止できる。また、ブリスターパッケージ１から製品４を手で切り離すときに、通常の力で切断することができる。
【００３２】
斜め隣り同士の収納部３ｃ間の距離は、つぎのように設定する。図１に示すように、収納部３ｃの表面形状の円の中心から切断線３ａに垂線をおろす。この垂線のうち、収納部３ｃの外側表面と切断線３ａとの間の線分をｌとする。この線分ｌの長さは、０．５〜３．０ｍｍの範囲内にあることが好ましい。線分ｌの長さがこの範囲内にあると、収納部３ｃの成形および切断線２ａ，３ａの形成における加工技術上の困難性を排除できると共に、斜め隣りの収納部３ｃ間の距離を短くでき、複数の収納部３ｃを密度高く配置できる。
【００３３】
ブリスターカバー３は台紙２に固定されている。この固定はブリスターカバー３のうち収納部３ｃを除く面と、これに対応する台紙２の面とを台紙表面にブリスタコート剤と呼ばれる接着層を塗布し、熱圧着することにより行う。固定の方法はこの接着に限定されない。このほか、接着剤、粘着などの方法を採用できる。
【００３４】
収納部３ｃに収納されている製品４は直径が２４．５ｍｍの電池である。電池の直径はこれに限定されない。このほか種々の直径の電池を収納できる。
製品４は電池に限定されない。製品４としてはこのほか、薬の錠剤、キャンディーなどのお菓子、おもちゃなどを採用できる。
製品の形状は円板形状に限定されない。このほか種々の形状の製品を収納できる。
【００３５】
以上のことから、本実施の形態によれば、収納部が千鳥形に配列され、隣り合う収納部の間は、台紙に切断線が設けられかつブリスターカバーに切断線が設けられているので、台紙およびブリスターカバーにおいて、一方の外縁から始まり他方の外縁に達する切断線を設けることができる。この結果、収納部を密度高く配置することができ、任意の切断線を容易に切断することができる。
【００３６】
この発明により、従来不可能だったサイズの電池のパッケージを提供することで、保管する収容箱に収容可能で、店頭の限られた展示スペースにも展示可能となる。さらに、従来の多列の商品と異なり、収納部ごと１個ずつ切り離しかのうなので、携帯する場合の利便性も向上する。
【００３７】
つぎに、ブリスターパッケージにかかる第２の発明の実施の形態について説明する。
【００３８】
図２は、本発明のブリスターパッケージの他の例を示すものである。ここでは、第１の実施の形態で説明した内容と同様なものは省略し、第２の実施の形態において特徴的なものを説明する。
【００３９】
台紙２には、直線状の切断線２ａが４本設けられている。切断線２ａは、隣り合う収納部３ｃの間を通っている。１つの切断線２ａと、収納部３ｃを挟んで隣りに存在する他の切断線２ａとには交点ができている。このとき、いずれか一方の切断線２ａの終点を交点にする。４本の切断線２ａのうち３本は、台紙２の右（左）側の外縁２ｂから始まり、他の切断線２ａとの交点に達している。
【００４０】
ブリスターカバー３には、直線状の切断線３ａが４本設けられている。切断線３ａは、隣り合う収納部３ｃの間を通っている。１つの切断線３ａと、収納部３ｃを挟んで隣りに存在する他の切断線３ａとには交点ができている。このとき、いずれか一方の切断線３ａの終点を交点にする。４本の切断線３ａのうち３本は、ブリスターカバー３の右（左）側の外縁３ｂから始まり、他の切断線３ａとの交点に達している。
【００４１】
１つの切断線３ａと他の切断線３ａとに交点を作ることにより、切断線３ａの両側に存在する収納部３ｃの円形の中心を結ぶ直線と、切断線３ａとは、第１の実施の形態おけるよりも、より垂直に近く交わらせることができる。
【００４２】
以上のことから、本実施の形態によれば、収納部が千鳥形に配列され、隣り合う前記収納部の間は、台紙に切断線が設けられ、２つの切断線により交点ができるときは、一方の切断線の終点を前記交点にし、隣り合う前記収納部の間は、ブリスターカバーに切断線が設けられ、２つの切断線により交点ができるときは、一方の切断線の終点を交点にするので、台紙およびブリスターカバーにおいて、台紙またはブリスターカバーの外縁から始まり他の切断線との交点に達する切断線を設けることができる。その結果、収納部をより密度高く配置することができ、切断線を順次容易に切断することができる。
【００４３】
つぎに、ブリスターパッケージにかかる第３の発明の実施の形態について説明する。
図３は、本発明のブリスターパッケージの他の例を示すものである。ここでは、第１の実施の形態で説明した内容と同様なものは省略し、第３の実施の形態において特徴的なものを説明する。
【００４４】
台紙２には、４本の切断線２ａが存在する。切断線２ａは左側の外縁２ｂから始まり、右側の外縁２ｂに達している。切断線２ａと左側の外縁２ｂ、および切断線２ａと右側の外縁２ｂには、それぞれ鋭角の部分ができている（図１参照）。
【００４５】
図３の例では、この鋭角の部分において、外縁２ｂのうち切断線２ａに近い部分を曲線とする切り欠きを設けた。切断線２ａと外縁２ｂの交点の極近傍における外縁２ｂの接線と、切断線２ａとから生成する角度をβとする。この角度βは、７０〜１３５度の範囲にあることが好ましい。
【００４６】
角度βがこの範囲内にあると、ブリスターカバー３の角部に指などが触れた場合の痛みやけがの発生を防ぐことができると共に、加工技術上の困難性を排除できる。
【００４７】
ブリスターカバー３には、４本の切断線３ａが存在する。切断線３ａは左側の外縁３ｂから始まり、右側の外縁３ｂに達している。切断線３ａと左側の外縁３ｂ、および切断線３ａと右側の外縁２ｂには、それぞれ鋭角の部分ができている（図１参照）。
【００４８】
図３の例では、この鋭角の部分において、外縁３ｂのうち切断線３ａに近い部分を曲線とする切り欠きを設けた。切断線３ａと外縁３ｂの交点の極近傍における外縁３ｂの接線と、切断線３ａとから生成する角度をβとする。この角度βは、７０〜１３５度の範囲にあることが好ましい。角度βがこの範囲内にあると、台紙２における角度βで説明したと同じ効果が得られる。
【００４９】
図４は、本発明のブリスターパッケージの他の例を示すものである。
台紙２において、切断線２ａと左側の外縁２ｂ、および、切断線２ａと右側の外縁２ｂには、それぞれ鋭角の部分と鈍角の部分ができている（図１参照）。
【００５０】
図４の例では、この鋭角の部分と鈍角の部分を含んで、外縁２ｂのうち切断線２ａに近い部分を曲線とする切り欠きを設けた。切断線２ａと外縁２ｂの交点の極近傍における外縁２ｂの接線と、切断線２ａとから生成する角度をβとする。この角度βは、７０〜１１０度の範囲にあることが好ましい。
【００５１】
角度βがこの範囲内にあると、ブリスターカバー３の角部に指などが触れた場合の痛みやけがの発生を防ぐことができると共に、切断線２ａとの交点における外縁２ｂの曲線をなめらかにでき、外縁２ａの加工が容易になる。
【００５２】
ブリスターカバー３において、切断線３ａと左側の外縁３ｂ、および、切断線３ａと右側の外縁３ｂには、それぞれ鋭角の部分と鈍角の部分ができている（図１参照）。
【００５３】
図４の例では、この鋭角の部分と鈍角の部分を含んで、外縁３ｂのうち切断線３ａに近い部分を曲線とする切り欠きを設けた。切断線３ａと外縁３ｂの交点の極近傍における外縁３ｂの接線と、切断線３ａとから生成する角度をβとする。この角度βは、７０〜１１０度の範囲にあることが好ましい。角度βがこの範囲内にあると、角部に指などが触れた場合の痛みやけがの発生を防ぐことができると共に、切断線３ａとの交点における外縁３ｂの曲線をなめらかにでき、外縁３ａの加工が容易になる。
【００５４】
以上のことから、本実施の形態によれば、台紙においては、その外縁の線と切断線とがなす角度が７０〜１３５度の範囲にあり、ブリスターカバーにおいては、その外縁の線と切断線とがなす角度が７０〜１３５度の範囲にあるので、または、台紙においては、その外縁の線と切断線とがなす角度が７０〜１１０度の範囲にあり、ブリスターカバーにおいては、その外縁の線と切断線とがなす角度が７０〜１１０度の範囲にあるので、切断線を切断したときに生成する角部の角度を大きくすることができる。これにより、ブリスターカバーの角部に、指などが触れた場合の痛みやけがの発生を防ぐことができる。
【００５５】
つぎに、ブリスターパッケージにかかる第４の発明の実施の形態について説明する。
図５は、本発明のブリスターパッケージの他の例を示すものである。ここでは、第２の実施の形態で説明した内容と同様なものは省略し、第４の実施の形態において特徴的なものを説明する。
【００５６】
台紙２には、４本の切断線２ａが存在する。切断線２ａは左側の外縁２ｂから始まり右側の外縁２ｂに達しているか、または、外縁２ｂから始まり、切断線２ａと他の切断線２ａとの交点に達している。切断線２ａと外縁２ｂには鋭角の部分ができている（図２参照）。
【００５７】
図５の例では、この鋭角の部分において、外縁２ｂのうち切断線２ａに近い部分を曲線とする切り欠きを設けた。切断線２ａと外縁２ｂの交点の極近傍における外縁２ｂの接線と、切断線２ａとから生成する角度をγとする。この角度γは、７０〜１３５度の範囲にあることが好ましい。
【００５８】
角度γがこの範囲内にあると、ブリスターカバー３の角部に指などが触れた場合の痛みやけがの発生を防ぐことができると共に、加工技術上の困難性を排除できる。
【００５９】
ブリスターカバー３には、４本の切断線３ａが存在する。切断線３ａは左側の外縁３ｂから始まり右側の外縁３ｂに達しているか、または、外縁３ｂから始まり、切断線３ａと他の切断線３ａとの交点に達している。切断線３ａと外縁２ｂには鋭角の部分ができている（図２参照）。
【００６０】
図５の例では、この鋭角の部分において、外縁３ｂのうち切断線３ａに近い部分を曲線とする切り欠きを設けた。切断線３ａと外縁３ｂの交点の極近傍における外縁３ｂの接線と、切断線３ａとから生成する角度をγとする。この角度γは、７０〜１３５度の範囲にあることが好ましい。
【００６１】
角度γがこの範囲内にあると、台紙２における角度γで説明したと同じ効果が得られる。
【００６２】
図６のＡは、本発明のブリスターパッケージの他の例を示すものである。
台紙２において、切断線２ａと左側の外縁２ｂ、および、切断線２ａと右側の外縁２ｂには、それぞれ鋭角の部分と鈍角の部分ができている（図２参照）。
【００６３】
図６のＡの例では、この鋭角の部分と鈍角の部分を含んで、外縁２ｂのうち切断線２ａに近い部分を曲線とする切り欠きを設けた。切断線２ａと外縁２ｂの交点の極近傍における外縁２ｂの接線と、切断線２ａとから生成する角度をγとする。この角度γは、７０〜１１０度の範囲にあることが好ましい。
【００６４】
角度γがこの範囲内にあると、ブリスターカバー３の角部に指などが触れた場合の痛みやけがの発生を防ぐことができると共に、切断線２ａとの交点における外縁２ｂの曲線をなめらかにでき、外縁２ａの加工が容易になる。
【００６５】
ブリスターカバー３において、切断線３ａと左側の外縁３ｂ、および、切断線３ａと右側の外縁３ｂには、それぞれ鋭角の部分と鈍角の部分ができている（図２参照）。
【００６６】
図６のＡの例では、この鋭角の部分と鈍角の部分を含んで、外縁３ｂのうち切断線３ａに近い部分を曲線とする切り欠きを設けた。切断線３ａと外縁３ｂの交点の極近傍における外縁３ｂの接線と、切断線３ａとから生成する角度をγとする。この角度γは、７０〜１１０度の範囲にあることが好ましい。
【００６７】
角度γがこの範囲内にあると、角部に指などが触れた場合の痛みやけがの発生を防ぐことができると共に、切断線３ａとの交点における外縁３ｂの曲線をなめらかにでき、外縁３ａの加工が容易になる。
【００６８】
図５および図６のＡの例において、切断線２ａと切断線２ａとが生成する角度をθとする（図５参照）。この角度θが７０度より小さいときは、図６のＢに示すように、台紙２に孔６を設ける。孔縁２ｄのうち切断線２ａとの交点の極近傍における接線と、切断線２ａとが生成する角度をδとする。
【００６９】
この角度δは、７０〜１３５度の範囲内にあることが好ましい。
角度δがこの範囲内にあると、ブリスターカバー３の角部に指などが触れた場合の痛みやけがの発生を防ぐことができると共に、加工技術上の困難性を排除できる。
【００７０】
図５および図６のＡの例において、切断線３ａと切断線３ａとが生成する角度をθとする（図５参照）。この角度θが７０度より小さいときは、図６のＢに示すように、ブリスターカバー３に孔６を設ける。孔縁３ｄのうち切断線３ａとの交点の極近傍における接線と、切断線３ａとが生成する角度をδとする。
【００７１】
この角度δは、７０〜１３５度の範囲内にあることが好ましい。角度δがこの範囲内にあると、台紙２における角度δで説明したと同じ効果が得られる。
【００７２】
以上のことから、本実施の形態によれば、台紙においては、その外縁の線と切断線とがなす角度が７０〜１３５度の範囲にあり、ブリスターカバーにおいては、その外縁の線と切断線とがなす角度が７０〜１３５度の範囲にあるので、または、台紙においては、その外縁の線と切断線とがなす角度が７０〜１１０度の範囲にあり、ブリスターカバーにおいては、その外縁の線と切断線とがなす角度が７０〜１１０度の範囲にあるので、切断線を切断したときに生成する角部の角度を大きくすることができる。
【００７３】
切断線と切断線とが生成する角度が７０度より小さいときは、台紙に孔を設け、孔縁のうち切断線との交点の極近傍における接線と、切断線とが生成する角度を７０〜１３５度の範囲にするので、または、切断線と切断線とが生成する角度のが７０度より小さいときは、ブリスターカバーに孔を設け、孔縁のうち切断線との交点の極近傍における接線と、切断線とが生成する角度を７０〜１３５度の範囲にすることにより、切断線を切断したときに生成する角部の角度を大きくすることができる。
これらにより、ブリスターカバーの角部に、指などが触れた場合の痛みやけがの発生を防ぐことができる。
【００７４】
つぎに、ブリスターパッケージにかかる第５の発明の実施の形態について説明する。
図７は、本発明のブリスターパッケージの他の例を示すものである。ここでは、第１の実施の形態で説明した内容と同様なものは省略し、第５の実施の形態において特徴的なものを説明する。
【００７５】
ブリスターカバー３は、その形状が図７に示すとおりになっている。ブリスターカバー３の外縁３ｂのうち縦方向の形状は、千鳥形に配列された収納部３ｃに対応して、横方向に凹凸を形成している。ただし、本発明のブリスターパッケージ１のブリスターカバー３の形状は、これに限定され訳ではない。
【００７６】
ブリスターカバー３には、切断線３ａが４本設けられている。切断線３ａは、ブリスターカバー３の右（左）側の外縁３ｂから始まり、左（右）側の外縁３ｂに達している。
【００７７】
切断線３ａと外縁３ｂとの交点に生成する２つの角部のうちのいずれか一方（図７の例では上側に存在する角部）の角度をαとする。角度αは、７０〜１１０度の範囲内にあることが好ましい。角度αがこの範囲内にあると、角部に指などが触れた場合の痛みやけがの発生を防ぐことができると共に、切断線３ａとの交点における外縁３ｂを直線とすることができ、外縁３ａの加工が容易になる。
【００７８】
以上のことから、本実施の形態によれば、ブリスターカバーにおいては、その外縁の線と切断線とがなす角度が７０〜１１０度の範囲にあるので、切断線を切断したときに生成する角部の角度を大きくすることができる。これにより、ブリスターカバーの角部に、指などが触れた場合の痛みやけがの発生を防ぐことができる。
【００７９】
つぎに、ブリスターパッケージにかかる第６の発明の実施の形態について説明する。
図８は、本発明のブリスターパッケージの他の例を示すものである。ここでは、第２の実施の形態で説明した内容と同様なものは省略し、第６の実施の形態において特徴的なものを説明する。
【００８０】
ブリスターカバー３は、その形状が図８に示すとおりになっている。ブリスターカバー３の外縁３ｂのうち縦方向の形状は、千鳥形に配列された収納部３ｃに対応して、横方向に凹凸を形成している。ただし、本発明のブリスターパッケージ１のブリスターカバー３の形状は、これに限定され訳ではない。
【００８１】
ブリスターカバー３には、切断線３ａが４本設けられている。切断線３ａは、ブリスターカバー３の右（左）側の外縁３ｂから始まり、左（右）側の外縁３ｂに達している。
【００８２】
切断線３ａと外縁３ｂとの交点に生成する２つの角部のうちのいずれか一方（図８の例では上側に存在する角部）の角度をβとする。角度βは、７０〜１１０度の範囲内にあることが好ましい。角度βがこの範囲内にあると、角部に指などが触れた場合の痛みやけがの発生を防ぐことができると共に、切断線３ａとの交点における外縁３ｂを直線とすることができ、外縁３ａの加工が容易になる。
【００８３】
以上のことから、本実施の形態によれば、ブリスターカバーにおいては、その外縁の線と切断線とがなす角度が７０〜１１０度の範囲にあるので、切断線を切断したときに生成する角部の角度を大きくすることができる。これにより、ブリスターカバーの角部に、指などが触れた場合の痛みやけがの発生を防ぐことができる。
【００８４】
なお、第１〜６の実施の形態においては、ブリスターカバーが一体となったものについて説明した。本発明はこれに限定されるわけではない。１つまたは複数の収納部を有するブリスターカバーがそれぞれ独立して台紙に固定されている場合も、本発明が適用できることはもちろんである。
また、本発明は上述の実施の形態に限らず本発明の要旨を逸脱することなくその他種々の構成を採り得ることはもちろんである。
【００８５】
つぎに、ブリスターパッケージにかかる第１の比較例について説明する。
図９は、本発明との比較対照のための、ブリスターパッケージの一例を示すものである。図９に示す例では、いわゆる千鳥配列（隣り合う３つの電池の角度がおよそ６０度）に電池が並んでいる。この例によれば、一列では収納できない大きさと数の電池を並べることができる。しかし、切断線ないため、製品を１個ずつ切り離すことが困難である。
【００８６】
つぎに、ブリスターパッケージにかかる第２の比較例について説明する。
図９は、本発明との比較対照のための、ブリスターパッケージの他の例を示すものである。図９の例は、図８の例に対して、台紙２に切断線２ａを設けると共に、ブリスターカバー３に切断線３ａを設けたものである。この例においては、切断線２ａ，３ａが入っているので、製品４を一つずつ切り離すことができる。しかし、切断線２ａ，３ａが折れ線で複雑な形状をしているため、製品４の切り離しが困難である。
【００８７】
【発明の効果】
本発明は、以下に記載されるような効果を奏する。
収納部が千鳥形に配列され、隣り合う収納部の間は、台紙に切断線が設けられかつブリスターカバーに切断線が設けられているので、収納部を密度高く配置することができ、任意の切断線を容易に切断することができる。
【００８８】
台紙においては、その外縁の線と切断線とがなす角度が７０〜１３５度の範囲にあり、ブリスターカバーにおいては、その外縁の線と切断線とがなす角度が７０〜１３５度の範囲にあるので、または、ブリスターカバーにおいては、その外縁の線と切断線とがなす角度が７０〜１３５度の範囲にあるので、切断線を切断したときに生成する角部の角度を大きくすることができる。
【００８９】
収納部が千鳥形に配列され、隣り合う前記収納部の間は、台紙に切断線が設けられ、２つの切断線により交点ができるときは、一方の切断線の終点を前記交点にし、隣り合う前記収納部の間は、ブリスターカバーに切断線が設けられ、２つの切断線により交点ができるときは、一方の切断線の終点を交点にするので、収納部をより密度高く配置することができ、切断線を順次容易に切断することができる。
【００９０】
台紙においては、その外縁の線と切断線とがなす角度が７０〜１３５度の範囲にあり、ブリスターカバーにおいては、その外縁の線と切断線とがなす角度が７０〜１３５度の範囲にあるので、または、ブリスターカバーにおいては、その外縁の線と切断線とがなす角度が７０〜１３５度の範囲にあるので、切断線を切断したときに生成する角部の角度を大きくすることができる。
【図面の簡単な説明】
【図１】本実施の形態にかかるブリスターパッケージの一例を示す図である。
【図２】本実施の形態にかかるブリスターパッケージの他の例を示す図である。
【図３】図１の例に改良を加えたブリスターパッケージを示す図である。
【図４】図３の例の変形例を示す図である。
【図５】図２の例に改良を加えたブリスターパッケージを示す図である。
【図６】図５の例の変形例（Ａ）と、図５の例および変形例の改良部分（Ｂ）を示す図である。
【図７】図１の例に対し、ブリスターカバーに改良を加えたブリスターパッケージを示す図である。
【図８】図２の例に対し、ブリスターカバーに改良を加えたブリスターパッケージを示す図である。
【図９】本実施の形態に対する、比較のための一例を示す図である。
【図１０】本実施の形態に対する、比較のための他の例を示す図である。
【図１１】従来のブリスターパッケージの例を示す図である。
【図１２】従来の外形寸法のブリスターパッケージを用いて、大きな製品を収納した場合の問題点を説明する図である。
【符号の説明】
１‥‥ブリスターパッケージ、２‥‥台紙、２ａ‥‥切断線、２ｂ‥‥外縁、２ｄ‥‥孔縁、３‥‥ブリスターカバー、３ａ‥‥切断線、３ｂ‥‥外縁、３ｃ‥‥収納部、３ｄ‥‥孔縁、４‥‥製品、５，６‥‥孔
【図１】
2004059124.tif 000003
【図２】
2004059124.tif 000004
【図３】
2004059124.tif 000005
【図４】
2004059124.tif 000006
【図５】
2004059124.tif 000007
【図６】
2004059124.tif 000008
【図７】
2004059124.tif 000009
【図８】
2004059124.tif 000010
【図９】
2004059124.tif 000011
【図１０】
2004059124.tif 000012
【図１１】
2004059124.tif 000013
【図１２】
2004059124.tif 000014